(57)【要約】【課題】  外枠側の電気部品と前枠側の制御装置との電気的接続を簡素化した遊技機を提供する。【解決手段】  本発明では、固定保持用の外枠１と、外枠１に対し前方に向けて横開き開閉可能に組み付けられた開閉搭載用の前枠２と、前枠側の裏セット盤に配設された制御装置とを備え、この制御装置に作動が制御されるように構成された遊技機において、外枠１に配設された電気部品と、外枠１に取り付けられて電気部品と電気的に接続された第１コネクタ７０と、前枠２に取り付けられて制御装置と電気的に接続され、第１コネクタ７０と嵌合接続可能な第２コネクタ８０とを備え、前枠２を外枠１に閉止させると、第１コネクタ７０と第２コネクタ８０とが嵌合接続して電気部品と制御装置とが電気的に接続されるように構成される。【選択図】  図６
2005218730.tif 000002
【特許請求の範囲】
【請求項１】
固定保持用の外枠と、前記外枠に対し前方に向けて横開き開閉可能に組み付けられた開閉搭載用の前枠と、前記前枠を含む前枠側構成部品に配設された制御装置とを備え、前記制御装置に作動が制御されるように構成された遊技機において、
前記外枠に配設された電気部品と、
前記外枠に取り付けられて前記電気部品と電気的に接続された第１コネクタと、
前記前枠に取り付けられて前記制御装置と電気的に接続され、前記第１コネクタと嵌合接続可能な第２コネクタとを備え、
前記前枠を前記外枠に閉止させると、前記第１コネクタと前記第２コネクタとが嵌合接続して前記電気部品と前記制御装置とが電気的に接続されるように構成されることを特徴とする遊技機。
【請求項２】
前記第１コネクタおよび前記第２コネクタの少なくとも一つは、前記第１コネクタもしくは前記第２コネクタを前記第１コネクタと前記第２コネクタとの嵌合接続方向に対し略直角な面内で移動可能に支持するフローティングブッシュを有して構成されており、
前記第１コネクタと前記第２コネクタとの嵌合接続時に前記嵌合接続方向に対し略直角な面内で移動して、嵌合接続する相手側のコネクタと位置整合するように構成されることを特徴とする請求項１に記載の遊技機。
【発明の詳細な説明】
【技術分野】
【０００１】
本発明は、固定保持用の外枠と、外枠に対し前方に向けて横開き開閉可能に組み付けられた開閉搭載用の前枠とを備えて構成された遊技機に関する。
【背景技術】
【０００２】
上記のような外枠および前枠を備えた遊技機として、パチンコ機やアレンジボール機、雀球機などが広く知られている。この種の遊技機の代表例とされるパチンコ機では、遊技施設の遊技島に固定される固定保持用の外枠に開閉搭載用の前枠が横開き開閉可能に取り付けられる。前枠の各部にはガラス扉や球皿が着脱可能に組み付けられ、さらに球皿の右側下部には操作ハンドルが取り付けられる。前枠に形成される収容枠には、前面側に遊技領域を有する遊技盤が着脱可能に収容保持され、遊技盤の前方を覆うガラス扉を通して遊技領域を遊技者に臨ませている。また、ガラス扉に前面側が覆われた前枠の上部には、演出用のランプが複数取り付けられる。さらに、球皿に前面側が覆われた前枠の下部領域には、遊技補助盤と称される補助機構部が形成され、この遊技補助盤の各部に打球発射装置やスピーカ等が設けられる。
【０００３】
前枠の後方には、遊技盤から排出される遊技済み球を処理する処理機構や、入賞状態に応じて遊技球を払い出す賞球機構等を備えた裏セット盤（裏機構盤とも称される）が後方に横開き開閉可能に組み付けられ、常には遊技盤の後面を覆って閉止保持される。さらに、この裏セット盤には、メイン基板や、ランプ制御基板および音声制御基板、電源基板等の各種回路基板が取り付けられ、これら各回路基板や各種電子機器がワイヤーハーネスで接続されてパチンコ機が構成される。
【０００４】
従来、このようなパチンコ機に構成される外枠は、方形枠状に枠組み形成されており、開閉搭載枠用の前枠を支持する用途にのみ用いられる。また、外枠の下部には幕板と称される飾り板が設けられており、前枠と外枠の開口面域との間で上下寸法の統一化が図られている。
【特許文献１】特開２００３−１１１９３７号公報
【発明の開示】
【発明が解決しようとする課題】
【０００５】
ところで、近年、遊技者に対してより効果的な演出を行うため、例えば、ランプやスピーカ等の電気部品を前枠だけでなく外枠（特に幕板）にも設ける案が検討されている。しかしながら、ランプやスピーカといった電気部品の作動を制御する制御装置（制御基板）が前枠あるいは前枠に組み付けられた遊技盤および裏セット盤に設けられているため、外枠と前枠とに跨って配線を行う必要がある。このとき、例えば、電線のみを用いて外枠側の電気部品と前枠側の制御装置とを電気的に接続しようとすると、前枠の開閉時に外枠から離れる距離の分だけ電線を余分に長くする必要がある。このように余分に長く設計された電線は、前枠を閉止させる際に外枠と前枠との間に挟まって破損するおそれがあるばかりでなく、前枠の開放時に前枠裏面の構成部品と干渉して電線が切断されるおそれがある。
【０００６】
本発明は、このような問題に鑑みて成されたものであり、外枠側の電気部品と前枠側の制御装置との電気的接続を簡素化した遊技機を提供することを目的とする。
【課題を解決するための手段】
【０００７】
このような目的達成のため、本発明では、固定保持用の外枠と、外枠に対し前方に向けて横開き開閉可能に組み付けられた開閉搭載用の前枠と、前枠を含む前枠側構成部品（例えば、実施形態における裏セット盤３０）に配設された制御装置（例えば、実施形態における音声制御基板５５）とを備え、この制御装置に作動が制御されるように構成された遊技機において、外枠に配設された電気部品（例えば、実施形態における第２スピーカ６０）と、外枠に取り付けられて電気部品と電気的に接続された第１コネクタと、前枠に取り付けられて制御装置と電気的に接続され、第１コネクタと嵌合接続可能な第２コネクタとを備え、前枠を外枠に閉止させると、第１コネクタと第２コネクタとが嵌合接続して電気部品と制御装置とが電気的に接続されるように構成される。
【０００８】
また、第１コネクタおよび第２コネクタの少なくとも一つは、第１コネクタもしくは第２コネクタを第１コネクタと第２コネクタとの嵌合接続方向に対し略直角な面内で移動可能に支持するフローティングブッシュを有して構成されており、第１コネクタと第２コネクタとの嵌合接続時に嵌合接続方向に対し略直角な面内で移動して、嵌合接続する相手側のコネクタと位置整合するように構成されることが好ましい。
【発明の効果】
【０００９】
本発明によれば、前枠を外枠に閉止させると、第１コネクタと第２コネクタとが嵌合接続して外枠側の電気部品と前枠側の制御装置とが電気的に接続されるように構成されるため、電気部品と制御装置とを繋ぐ電線を余分に長くする必要がなく、外枠側の電気部品と前枠側の制御装置との電気的接続を簡素化することができる。
【００１０】
また、第１コネクタおよび第２コネクタの少なくとも一つが、第１コネクタもしくは第２コネクタを第１コネクタと第２コネクタとの嵌合接続方向に対し略直角な面内で移動可能に支持するフローティングブッシュを有して構成されることで、第１コネクタと第２コネクタとの嵌合接続をより確実に行うことができ、前枠の閉止時におけるコネクタの破損、コネクタピン（コンタクト）の曲がり、これらに起因する短絡（ショート）等を防止することがでる。
【発明を実施するための最良の形態】
【００１１】
以下、本発明の好ましい実施形態について図面を参照しながら説明する。本発明に係る遊技機の代表例としてパチンコ機ＰＭを図１および図２に示しており、まず、これらの図面を参照しながらパチンコ機ＰＭの全体構成について要約説明する。ここで、図１はパチンコ機ＰＭにおけるガラス扉５および上球皿６が開放した状態を示す正面図、図２はパチンコ機ＰＭの背面図である。
【００１２】
パチンコ機ＰＭは、外郭方形枠サイズに構成されて縦向きの固定保持枠をなす外枠１の開口前面に、これに合わせた方形枠サイズに構成される開閉搭載用の前枠２が互いの正面左側上下に配設されたヒンジ部材３ａ，３ｂで横開き開閉および着脱が可能に取り付けられ、正面右側に設けられた施錠装置４を利用して常には外枠１と係合された閉鎖状態に保持される。
【００１３】
前枠２には、（前枠２を含む）種々の前枠側構成部品が設けられる。まず、前枠２の正面側には、前枠２の前面域に合わせた方形状のガラス扉５および上球皿６が正面左側部に設けられたヒンジ機構７ａ，７ｂ，７ｃを利用して横開き開閉および着脱が可能に組付けられ、常には施錠装置４およびロック機構８を利用して前枠２の前面を覆う閉止状態で保持される。前枠２の下部には、下球皿９および遊技球の発射操作を行う操作ハンドル１０が取り付けられる。また、ガラス扉５に前面側を覆われた前枠２の上部には、演出用のランプ１１，１１，…が取り付けられる。
【００１４】
ガラス扉５の背後に位置する前枠２の裏面上部には、図示省略する方形枠状の収容枠が前枠２と一体に成形されており、この収容枠に所定のゲージ設定で構成された遊技盤２０が複数の係合レバー１２，１２…により着脱交換可能にセット保持され、その前面域をガラス扉５に臨ませている。
【００１５】
遊技盤２０は、板厚１９mm程度の積層合板を図示する所定形状に切断およびルーター加工して、その表面に所定意匠のセルを貼り付けた化粧板（ベニヤとも称される）２１を基板として構成される。化粧板２１の前面側には、帯状の外レール２２ａおよび内レール２２ｂが円弧状に固設され、これらの案内レール２２ａ，２２ｂで囲まれた内側に遊技領域ＰＡが区画される。
【００１６】
遊技領域ＰＡには、多数本の遊技釘とともに、一般入賞具２３や始動具２４並びにアタッカー２５等の各種入賞具、および遊技の進行状況に応じて所定の画像を表示させる画像表示装置２６等が取り付けられ、遊技領域ＰＡの下端には各入賞具に入賞せずに落下した遊技球（「アウト球」という）を遊技盤２０の裏面側に排出させるアウト口２７が設けられている。各入賞具に落入した遊技球（「セーフ球」という）は、各入賞具に設けられた各入賞口スイッチ（図示せず）により検出され、化粧板２１を貫通するセーフ球通路孔を通って遊技盤２０の裏面側に排出される。また、アウト口２７に集められたアウト球は化粧板２１を貫通するアウト球通路孔を通って遊技盤２０の裏面側に排出される。
【００１７】
上球皿６に前面側が覆われた前枠２の下部領域には遊技補助盤１５と称される補助機構部が形成されており、この遊技補助盤１５の各部に、遊技球を外レール２２ａに向けて発射する打球発射装置１６や、打球発射装置１６によって打ち出された遊技球を外レール２２ａに向けて案内する発射レール１７、遊技領域ＰＡに到達できずに打球発射装置１６側に戻ってきたファール球を下球皿９に排出させるファール球回収経路部材１８、遊技の展開状況に応じた効果音を発生させる第１スピーカ１９等が取り付けられる。
【００１８】
前枠２の裏側には、前枠側構成部品の一つである裏セット盤３０が上下のヒンジ１３，１３で横開き開閉および着脱が可能に装備され、常には閉鎖レバー３４，３４…を利用して遊技盤２０の裏面を覆うように閉鎖保持される。裏セット盤３０は、外枠１の内寸サイズよりも幾分小さめの方形状をなし、中央に遊技盤２０から突出する画像処理基板５２を受容する窓口３１ｗを有して一体成形された基枠体３１をベースとして構成される。
【００１９】
裏セット盤３０には、窓口３１ｗを取り囲むようにして賞球を払い出すための賞球装置や遊技球の処理経路が設けられる。すなわち、基枠体３１の裏面側には、遊技球の貯留・供給を行うタンク部材４１、タンク部材４１から供給される遊技球を整列させて流下させる整列樋部材４２、整列樋部材から供給される遊技球を受けて所定数量の遊技球を待機保持させる賞球待機通路４３、賞球待機通路４３に待機された遊技球を所定の入賞条件等に基づいて払い出す賞球払出装置４５、賞球払出装置４５から払い出された遊技球を上下の球皿６，９に導く賞球払出経路４７などの賞球装置よび賞球経路が設けられている。また、基枠体３１の前面側には、窓口３１ｗの下方に位置して遊技盤２０の裏面側に排出されたアウト球およびセーフ球、球抜き機構によって賞球経路から排出された抜き球等を集合させる集合経路が形成され、基枠体３１の裏面側には集合経路と繋がって集合された遊技球を遊技施設側の回収バケットに排出させる球排出経路が形成されている。
【００２０】
また、裏セット盤３０の裏面各部には、パチンコ機ＰＭの作動を統括的に制御するメイン基板５１や、メイン基板５１からの指令信号に基づいて賞球払出装置の作動制御を行う賞球制御基板５３、効果照明および効果音の作動制御を行うランプ制御基板５４および音声制御基板５５、これらの制御基板や各種電子機器等に電力を供給する電源基板５６、電源基板５６から供給される電力の中継を行う電源中継基板５７などの回路基板が着脱交換可能に取り付けられ、各回路基板や電子機器が図示しないワイヤーハーネス（電気配線）で接続されてパチンコ機ＰＭが構成される。
【００２１】
パチンコ機ＰＭは、ガラス扉５、上球皿６、裏セット盤３０等がそれぞれ閉鎖され、前枠２が外枠１に閉鎖施錠された状態で遊技に供される。遊技は上球皿６に遊技球を貯留させて操作ハンドル１０を回動操作することにより開始され、上球皿６に貯留された遊技球が１球ずつ打球発射装置１６に送られ操作ハンドル１０の回動操作角度に応じた強度で遊技領域ＰＡに打ち出されてパチンコゲームが展開される。
【００２２】
以上のように概要構成されるパチンコ機ＰＭにあって、電気部品である第２スピーカ６０が外枠１の下部に配設されており、第１コネクタ７０および第２コネクタ８０を用いて裏セット盤３０の音声制御基板５５と電気的に接続されている。以下、この第２スピーカ６０と、第１コネクタ７０および第２コネクタ８０について図３〜図８を参照しながら説明する。ここで、図３は第２スピーカ６０および第１コネクタ７０の正面図、図４は第２コネクタ８０の背面図、図５は接続状態にある第１コネクタ７０および第２コネクタ８０の右側面図、図６は非接続状態にある第１コネクタ７０および第２コネクタ８０の右側面図、図７はガイドピン７３がガイド穴８３と嵌合する様子を（ａ），（ｂ）の順に示す説明図、そして図８は雄ハウジング７１がフローティングブッシュ７４に対して相対移動する様子を（ａ），（ｂ）の順に示す説明図である。
【００２３】
第２スピーカ６０は、図１および図３に示すように、外枠１に構成される幕板１ａの中央部にネジ等の固定手段を用いて取り付けられており、音声制御基板５５から出力された音声信号を受けて、遊技の展開状況に応じた効果音を発生させるように構成される。また、第２スピーカ６０は、図３に示すように、第１電気コード７６を介して第１コネクタ７０と電気的に接続されている。
【００２４】
第１コネクタ７０は、図３に示すように、雄ハウジング７１と、この雄ハウジング７１に収容保持された複数の雄コンタクト７２，７２，…と、雄ハウジング７１の上下に固設されたガイドピン７３，７３と、雄ハウジング７１を支持するフローティングブッシュ７４，７４とを主体に構成され、外枠１の補強部材１ｂに固設された取付アングル７８に取り付けられる。雄ハウジング７１は、図３および図６に示すように、ＰＢＴ（ポリブチレンテレフタラート）樹脂やＰＰＳ（ポリフェニレンサルファイド）樹脂等の絶縁材料用いて、射出成形等の成形手段により図示する形状に成形され、第２コネクタ８０の雌ハウジング８１と嵌合可能に構成される。
【００２５】
雄コンタクト７２は、詳細図示しないが、銅合金等の金属材料を用いて略筒状に形成され、基端部が第１電気コード７６（芯線部）の一端に圧着された状態で雄ハウジング７１に収容保持される。そして、雄コンタクト７２は、雄ハウジング７１と雌ハウジング８１とが嵌合した状態で、相手側の雌コンタクト８２と圧接するようになっている。
【００２６】
ガイドピン７３は、図６に示すように、ステンレス等の金属材料を用いて、雄ハウジング７１より若干突出する円柱状に形成され、図７（ａ），（ｂ）に示すように、雄ハウジング７１と雌ハウジング８１とが嵌合する際に第２コネクタ８０のガイド穴８３と嵌合し、雄ハウジング７１と雌ハウジング８１とが位置整合した状態で嵌合できるようになっている。なお、図７（ａ），（ｂ）に示すように、ガイドピン７３の先端には、ガイド穴８３へ嵌入し易いように面取り７３ａが形成されている。
【００２７】
フローティングブッシュ７４は、図８（ａ），（ｂ）に示すように、硬質ゴム等の弾性材料を用いて、側部中央にくびれ部７４ａを有する円筒状に形成され、このくびれ部７４ａを雄ハウジング７１に形成されたブッシュ係合穴７１ａに係合させることで、フローティングブッシュ７４が雄ハウジング７１に装着されるようになっている。くびれ部７４ａの径は、ブッシュ係合穴７１ａの径よりも若干大きくなっており、雄ハウジング７１がフローティングブッシュ７４に対して（フローティングブッシュ７４の径方向に）相対移動することができるようになっている。また、フローティングブッシュ７４の中心にはネジ通過穴７４ｂ（図２も参照）が形成されており、第１取付ネジ７７の胴部が通過できるようになっている。
【００２８】
そして、フローティングブッシュ７４のくびれ部７４ａを雄ハウジング７１のブッシュ係合穴７１ａに係合させてフローティングブッシュ７４を雄ハウジング７１に装着し、第１取付ネジ７７をフローティングブッシュ７４のネジ通過穴７４ｂに通過させて、取付アングル７８にネジ固定することで、雄ハウジング７１、すなわち第１コネクタ７０が外枠１（パチンコ機ＰＭ）の前面側を向いてフローティングブッシュ７４に支持された状態で取付アングル７８（すなわち、外枠１）に取り付けられる。これにより、雄ハウジング７１は、フローティングブッシュ７４に略鉛直な面内で移動可能に支持される。なお、取付アングル７８は、図６に示すように、アングル取付ネジ７９を用いて外枠１の補強板１ａにネジ固定されている。
【００２９】
第２コネクタ８０は、図４に示すように、雌ハウジング８１と、この雌ハウジング８１に収容保持された複数の雌コンタクト８２，８２，…とを主体に構成され、前枠２の下端部裏面側に固設された取付ステー８８に取り付けられる。雌ハウジング８１は、図４および図６に示すように、ＰＢＴ（ポリブチレンテレフタラート）樹脂やＰＰＳ（ポリフェニレンサルファイド）樹脂等の絶縁材料用いて、射出成形等の成形手段により図示する形状に成形され、第１コネクタ７０の雄ハウジング７１と嵌合可能に構成される。
【００３０】
雌コンタクト８２は、詳細図示しないが、銅合金等の金属材料を用いて略筒状に形成され、基端部が第２電気コード８６（芯線部）の一端に圧着された状態で雌ハウジング８１に収容保持される。そして、雌コンタクト８２は、雄ハウジング７１と雌ハウジング８１とが嵌合した状態で、相手側の雄コンタクト７２と圧接するようになっている。なお、第２電気コード８６の他端は、前枠２（裏セット盤３０）の音声制御基板５５に繋がっており、この第２電気コード８６を介して第２コネクタ８０と音声制御基板５５とが電気的に接続されるようになっている。
【００３１】
雌ハウジング８１の上下にはガイド穴８３，８３が形成されており、図７（ａ），（ｂ）に示すように、雄ハウジング７１と雌ハウジング８１とが嵌合する際に、第１コネクタ７０のガイドピン７３と嵌合するようになっている。なお、図７（ａ），（ｂ）に示すように、ガイド穴８３の先端には、ガイドピン７３が嵌入し易いように面取り８３ａが形成されている。また、雌ハウジング８１は、第２取付ネジ８７を用いて取付ステー８８に取り付けられるようになっており、これにより、第２コネクタ８０が前枠２の下端部裏面側に取り付けられる。なお、取付ステー８８は、図６に示すように、ステー取付ネジ８９を用いて前枠２の下端部裏面側にネジ固定されている。
【００３２】
このように構成されるパチンコ機ＰＭにおいて、開放状態にある前枠２を外枠１に閉止させる（閉鎖状態にする）と、第２コネクタ８０の雌ハウジング８１が第１コネクタ７０の雄ハウジング７１と嵌合するとともに、第２コネクタ８０の雌コンタクト８２が第１コネクタ７０の雄コンタクト７２と圧接することにより、図５に示すように、第１コネクタ７０と第２コネクタ８０とが嵌合接続して第２スピーカ６０と音声制御基板５５とが電気的に接続される。これにより、第２スピーカ６０と音声制御基板５５とを繋ぐ電線（電気コード）を余分に長くする必要がなく、外枠１側の第２スピーカ６０と前枠２側の音声制御基板５５との電気的接続を簡素化することができる。また、前枠２を外枠１に組み付ける際に、外枠２と前枠１との間の配線作業が不要になるため、外枠１に対する前枠２の開閉および着脱作業を容易に行うことができる。
【００３３】
なおこのとき、図７（ａ），（ｂ）に示すように、第１コネクタ７０と第２コネクタ８０とが嵌合接続するときに、第１コネクタ７０のガイドピン７３が第２コネクタ８０のガイド穴８３と嵌合するとともに、これに合わせて、フローティングブッシュ７４に支持された雄ハウジング７１（第１コネクタ７０）が嵌合接続の向きに対し略直角な面内で（略鉛直な面内で）相対移動することにより、第１コネクタ７０が嵌合接続する相手側の第２コネクタ８０と位置整合する。これにより、雄ハウジング７１と雌ハウジング８１とが位置整合した状態で嵌合可能となる。このように、第１コネクタ７０が、第１コネクタ７０（雄ハウジング７１）を第１コネクタ７０と第２コネクタ８０との嵌合接続方向に対し略直角な面内で移動可能に支持するフローティングブッシュ７４を有して構成されることで、第１コネクタ７０と第２コネクタ８０との嵌合接続をより確実に行うことができ、前枠２の閉止時における各コネクタ７０，８０の破損、雄雌のコンタクト７２，８２の曲がり、これらに起因する短絡（ショート）等を防止することがでる。
【００３４】
そして、前枠２が外枠１に閉鎖施錠された状態で遊技に供され、第１コネクタ７０および第２コネクタ８０を介して音声制御基板５５と電気的に接続された第２スピーカ６０は、音声制御基板５５から出力された音声信号を受けて、遊技の展開状況に応じた効果音を発生させる。これにより、前枠２に設けられた第１スピーカ１９と外枠１に設けられた第２スピーカ６０とを合わせて、複数のスピーカを用いることで、多チャンネルの音声出力や、合成音の出力を行うことが可能となり、音声による演出効果を高めることが期待できる。
【００３５】
以上に説明したパチンコ機ＰＭによれば、前枠２を外枠１に閉止させると、第１コネクタ７０と第２コネクタ８０とが嵌合接続して外枠側の第２スピーカ６０（電気部品）と前枠側の音声制御基板５５とが電気的に接続されるように構成されるため、第２スピーカ６０と音声制御基板５５とを繋ぐ電線（電気コード）を余分に長くする必要がなく、外枠１側の第２スピーカ６０と前枠２側の音声制御基板５５との電気的接続を簡素化することができる。
【００３６】
また、第１コネクタ７０が、第１コネクタ７０（雄ハウジング７１）を第１コネクタ７０と第２コネクタ８０との嵌合接続方向に対し略直角な面内で移動可能に支持するフローティングブッシュ７４を有して構成されることで、第１コネクタ７０と第２コネクタ８０との嵌合接続をより確実に行うことができ、前枠２の閉止時における各コネクタ７０，８０の破損、雄雌のコンタクト７２，８２の曲がり、これらに起因する短絡（ショート）等を防止することがでる。
【００３７】
なお、上述の実施形態において、外枠１に電気部品として第２スピーカ６０が設けられているが、これに限られるものではなく、装飾用のランプや第２の画像表示装置等、制御装置と電気的に接続される電気部品であればよい。なおこのとき、装飾用のランプは第１および第２コネクタを介してランプ制御基板と電気的に接続され、第２の画像表示装置は第１および第２コネクタを介して画像処理基板と電気的に接続される。
【００３８】
また、上述の実施形態において、第２スピーカ６０が外枠１の幕板１ａに設けられているが、これに限られるものではなく、電気部品（第２スピーカ６０）が外枠１を構成する上下左右の枠板に設けられるようにしてもよい。
【００３９】
さらに、上述の実施形態において、本発明に係る遊技機としてパチンコ機ＰＭを用いて説明したが、これに限られるものではなく、例えば、アレンジボール機や雀球機等、固定保持用の外枠と、外枠に対し前方に向けて横開き開閉可能に組み付けられた開閉搭載用の前枠と、前枠を含む前枠側構成部品に配設された制御装置とを備え、制御装置に作動が制御されるように構成された遊技機であればよい。
【００４０】
また、上述の実施形態において、外枠１側の第２スピーカ６０と前枠２側の音声制御基板５５との電気的接続に本発明を適用しているが、これに限られるものではなく、例えば、ガラス扉に設けられる電気部品と前枠側の制御基板との電気的接続や、上球皿に設けられる電気部品と前枠側の制御基板との電気的接続等、本体部材と開閉部材との間の電気的接続について本発明を適用することができる。
【００４１】
さらに、上述の実施形態において、第１コネクタ７０がフローティングブッシュ７４を有して構成されているが、これに限られるものではなく、第２コネクタ８０にフローティングブッシュが構成されてもよく、第１コネクタおよび第２コネクタの少なくとも一つがフローティングブッシュを有して構成されていればよい。また、第１コネクタ７０のガイドピン７３が第２コネクタ８０のガイド穴８３と嵌合するのに合わせて、フローティングブッシュ７４に支持された第１コネクタ７０（雄ハウジング７１）が嵌合接続の向きに対し略直角な面内で相対移動しているが、これに限られるものではなく、例えば、雄ハウジング７１と雌ハウジング８１とが直接嵌合する際に、雌ハウジング８１に形成された嵌合ガイド部（図示せず）に沿うようにして、雄ハウジング７１が嵌合接続の向きに対し略直角な面内で相対移動するようにしてもよい。
【図面の簡単な説明】
【００４２】
【図１】本発明に係る遊技機の代表例であるパチンコ機におけるガラス扉および上球皿が開放した状態を示す正面図である。
【図２】上記パチンコ機の背面図である。
【図３】第２スピーカおよび第１コネクタの正面図である。
【図４】第２コネクタの背面図である。
【図５】接続状態にある第１コネクタおよび第２コネクタの右側面図である。
【図６】非接続状態にある第１コネクタおよび第２コネクタの右側面図である。
【図７】ガイドピンがガイド穴と嵌合する様子を（ａ），（ｂ）の順に示す説明図である。
【図８】雄ハウジングがフローティングブッシュに対して相対移動する様子を（ａ），（ｂ）の順に示す説明図である。
【符号の説明】
【００４３】
ＰＡ  遊技領域
ＰＭ  パチンコ機
１  外枠（１ａ  幕板、１ｂ  補強部材）
２  前枠
１９  第１スピーカ
３０  裏セット盤（前枠側構成部品）
５５  音声制御基板
６０  第２スピーカ
７０  第１コネクタ
７１  雄ハウジング（７１ａ  ブッシュ係合穴）
７２  雄コンタクト
７３  ガイドピン（７３ａ  面取り）
７４  フローティングブッシュ（７４ａ  くびれ部、７４ｂ  ネジ通過穴）
７６  第１電気コード
８０  第２コネクタ
８１  雌ハウジング
８２  雌コンタクト
８３  ガイド穴（８３ａ  面取り）
【図１】
2005218730.tif 000003
【図２】
2005218730.tif 000004
【図３】
2005218730.tif 000005
【図４】
2005218730.tif 000006
【図５】
2005218730.tif 000007
【図６】
2005218730.tif 000008
【図７】
2005218730.tif 000009
【図８】
2005218730.tif 000010